(57)【要約】      （修正有）【課題】一方に躯体との接着座面を他方に板材との接着座面を設けた雌雄部材を伸縮を可能にして嵌合させた取付調整具の雌雄部材間に接着剤を充填させた後その長さを調整して躯体に板材を取り付ける方法において、断熱板と取付調整具の双方を直接躯体に固定できるようにする。【解決手段】断熱板に設けた複数の貫通穴に雌部材を嵌入する工程、雌部材を躯体に接着させる工程、断熱板を躯体に接着させる工程、雌雄部材間に接着剤を充填させた状態で雌部材に雄部材を嵌合させる工程からなる前工程を経た後、雄部材を引き出して取付調整具を伸長させ、雄部材の接着座面に対して板材を前進させながら両者を接着させて所定位置で板材を躯体に固定させる。【選択図】図１
2005350909.tif 000002
【特許請求の範囲】
【請求項１】
一方に躯体との接着座面を他方に板材との接着座面を設けた雌雄部材を伸縮を可能にして嵌合させた取付調整具の雌雄部材間に接着剤を充填させた後その長さを調整して躯体に板材を取り付ける方法において、断熱板に設けた複数の貫通穴に雌部材を嵌入する工程、雌部材を躯体に接着させる工程、断熱板を躯体に接着させる工程、雌雄部材間に接着剤を充填させた状態で雌部材に雄部材を嵌合させる工程からなる前工程を経た後、雄部材を引き出して取付調整具を伸長させ、雄部材の接着座面に対して板材を前進させながら両者を接着させて所定位置で板材を躯体に固定させる取付方法。
【請求項２】
断熱板の貫通穴の躯体側開口縁に雌部材の接着座面に適合させて形成した凹部内にその座面を位置させて雌部材と断熱板とを躯体に接着させる請求項１に記載の取付方法。
【請求項３】
雌部材内に接着剤を充填させた後雄部材を雌部材に嵌合させる請求項１又は２に記載の取付方法。
【請求項４】
雌部材に雄部材を嵌合させた後、雄部材の内側に配置した案内筒から注入して接着剤を雌雄部材間に充填させる請求項１、２又は３に記載の取付方法。
【請求項５】
雌部材の長さを断熱板の厚みと同等又はそれより短く形成しその先端開口縁に設けた漏出部から漏出させた接着剤で雌部材と断熱板とを接着させる請求項１、２、３又は４のいずれかに記載の取付方法。
【請求項６】
一方に躯体との接着座面を他方に板材との接着座面を設けた雌雄部材を伸縮を可能にして嵌合させ、雌雄部材間に接着剤を充填させた後長さを調整して躯体に板材を取り付けられるようにした取付調整具において、断熱板に穿設した貫通穴に嵌合させた雌部材に雄部材を嵌合させた取付調整具。
【発明の詳細な説明】
【技術分野】
【０００１】
本発明は、一方に躯体との接着座面を他方に板材との接着座面を設けた雌雄部材を伸縮を可能にして嵌合させた取付調整具の雌雄部材間に接着剤を充填させた後その長さを調整して躯体に板材を取り付ける方法に関するもので、天井や壁等の壁面に化粧板や内装用下地材を取り付ける場合に使用する。
【背景技術】
【０００２】
この種の取付方法は、特許文献１、２に開示されたものが知られている。
特許文献１に開示された取付方法は、底板に接着剤注入口を備えた熱可塑性樹脂製の管を取り付けた部材と底板にその外形が管の内径以上の大きさであって表面に連続する溝を有する熱可塑性樹脂製の棒状体を取り付けた部材とで構成した取り付け具を使用し、一方を躯体に他方を板材に固定させて棒状体を管に強制挿入し、その状態で接着剤注入口から接着剤を注入することによって、間隔を調整した後それを維持させた状態で板材を躯体に取り付けるようにしたものである。
【０００３】
また、特許文献２は出願人が提案したもので、接着座面を備えた内外筒を長さの調整を可能にして嵌合させ、外筒の接着座面の周囲を躯体に固定した後、一方の座面から突出させた案内筒から接着剤を注入し、外筒の接着座面の外側から連通部を通過させて内外筒の隙間に到達させる。次いで、内筒を引き出して取付調整具を伸長させ、内筒の座面に接着剤を塗布し、これに向って板材を直立させながら前進させることによって内筒の座面をその突出位置に応じて順次板体に接着させていく。所定の間隔を維持した状態で板材の前進を停止させると座面の移動も停止するから、そのまま養生硬化させて板材を躯体に固定するようにしている。
【０００４】
しかしながら、これらの取付方法では、躯体と板材との間が空洞化してしまうため、建物の床版（天井面）における断熱や遮音効果、建物の北面さらには寒冷地の建物の壁面における断熱効果が期待できないため、音響問題や結露問題を残す結果となっていた。
近時、断熱や遮音効果を高めるために、床版や壁面に断熱層を形成することが行われているが、上記の取付調整具では、断熱層上に固定すれば取付強度が低下するし、躯体に取り付けた状態で断熱層を形成しようとすると、断熱層の厚さの不均一化を招き、作業効率が低下する不都合がある。
【特許文献１】特開平７−３００９７２公報
【特許文献２】特開２００３−１７６６１４公報
【発明の開示】
【発明が解決しようとする課題】
【０００５】
本発明は、一方に躯体との接着座面を他方に板材との接着座面を設けた雌雄部材を伸縮を可能にして嵌合させた取付調整具の雌雄部材間に接着剤を充填させた後その長さを調整して躯体に板材を取り付ける方法において、断熱板と取付調整具の双方を直接躯体に固定できるようにすることを課題としたものである。
【課題を解決するための手段】
【０００６】
この技術的課題を解決するための第一の技術的手段は、（イ）断熱板に設けた複数の貫通穴に雌部材を嵌入する工程、雌部材を躯体に接着させる工程、断熱板を躯体に接着させる工程、雌雄部材間に接着剤を充填させた状態で雌部材に雄部材を嵌合させる工程からなる前工程を経た後、（ロ）雄部材を引き出して取付調整具を伸長させ、（ハ）雄部材の接着座面に対して板材を前進させながら両者を接着させて所定位置で板材を躯体に固定させること、である。
【０００７】
この技術的手段においては、雌部材は断熱板に設けた貫通穴に嵌入させられているから、貼着させた雌部材以外の躯体面は断熱板によって覆われ、断熱板は躯体に直接接着させられることになる。このとき、断熱材の貫通穴の開口縁が雌部材の座面の表面に位置することになるから、座面の室内側の表面が断熱板で覆われて雌部材の貼着が補強されることになる。
前工程を構成する各工程は、適宜その作業手順を変更することができる。例えば、断熱板の貫通穴に嵌合させた雌部材に雄部材を嵌入させた後、これを断熱材と共に躯体に接着させたり、或いは雌部材に雄部材を嵌合させると共に接着剤を充填した後に躯体に接着させたりするようにしても良い。
【０００８】
雄部材を引き出して取付調整具を伸長させると、躯体に生じた若干の凹凸にしたがって雄部材の接着座面の位置も不均一となる。雄部材の接着座面に対して板材を前進させていくと、座面が板材に接着しながらそれぞれ独立して収縮するから、所定の位置でその前進を停止すると、各取付調整具はそれぞれの適正な長さを維持して板材を躯体に固定させることになる。
したがって、躯体表面に断熱層を確実に形成すると共に、躯体への取付調整具の固定と断熱層の固定とを独立して行わせることができる。
【０００９】
第二の技術的手段は、上記の技術的手段において、断熱板の貫通穴の躯体側開口縁に雌部材の接着座面に適合させて形成した凹部内にその座面を位置させて雌部材と断熱板とを躯体に接着させることである。
断熱板は、この凹部に雌部材の座面を位置させた状態で雌部材と共に躯体に接着させられるから、断熱板の柔軟性が不十分であっても座面と断熱板との間に隙間が発生することはなく、その部分で結露が発生するのを防止することができる。
【００１０】
第三の技術的手段では、雌部材内に接着剤を充填させた後に雄部材を雌部材に嵌合させるため、複雑な機構を用いることなく雌雄部材間に接着剤を充填させることができ、雄部材の嵌合も雌部材に差し込むだけで完了するから、取付調整具の構造を極めて単純なものにできる。
第四の技術的手段では、雌部材に雄部材を嵌合させた後、雄部材の中央部に設けた案内筒から接着剤を注入して雌雄部材間に充填させられるから、接着剤の無用な漏洩を防止することができるし、接着剤の充填状況を外観することも可能となる。
【００１１】
第五の技術的手段では、雌部材の長さを断熱板の厚みと同等又はそれより短く形成され、その先端開口縁に設けた漏出部から接着剤を漏出させるように構成されているから、漏洩した接着剤は直接雌部材に接触し、これと断熱板との接着剤として機能する。したがって、躯体、雌部材及び断熱板を強固に固定することができる。
【００１２】
第六の技術的手段は取付調整具に関するもので、一方に躯体との接着座面を他方に板材との接着座面を設けた雌雄部材を伸縮を可能にして嵌合させ、雌雄部材間に接着剤を充填させた後長さを調整して躯体に板材を取り付けられるようにした取付調整具であって、断熱板に穿設した貫通穴に嵌合させた雌部材に雄部材を嵌合させているから、そのまま断熱板と取付調整具とを同時に躯体に固定させることができる。
断熱板に一又は二以上の取付調整具を嵌合させることができる。
この形態のものでは、断熱材同志を隙間を設けずに躯体に固定して断熱層を形成する他、断熱板を間隔を設けて固定し、その間に発泡液を吹き付けて躯体表面全体に断熱層を形成することが可能となる
【発明の効果】
【００１３】
いずれの技術的手段においても、断熱板と共に取付調整具を躯体に直接固定することができる結果、断熱層による断熱及び遮音と内装用の板材の強固な固定とが得られる利点がある。
使用する接着剤が多量に注入されないため、カビの発生を抑制できる利点もある。
【発明を実施するための最良の形態】
【００１４】
この発明方法において使用する接着剤は、冒頭の公知技術においても開示されているように、揺変性をもったゲル状乃至マヨネーズ状の接着剤を使用することが望ましく、接着剤は硬化しても若干の弾力性をもっていることが望ましい。
断熱板は吸湿性や吸水性がなく保形性の良いものを使用することが望ましく、発泡体のスチレンボードやウレタンボードを好適に使用することができる。
また、雌雄部材は、ＡＢＳ樹脂、アクリル樹脂、エポキシ樹脂、ポリエステル樹脂などの合成樹脂で容易に成形することができる。その他木製のものであっても良い。
なお、雌部材は雄部材がその内側に臨ませられるように、たとえば筒状の形態とするのが望ましいが、雄部材は筒状であっても棒状であってもよい。
【００１５】
この発明方法において、断熱板の貫通穴をあらかじめ穿設しておいて雌部材をこの穴に嵌入させ、座面と断熱板とを接着剤や両面粘着テープを用いて同時に躯体側へ接着させるようにすることができる。断熱板ごと躯体側へ押しつけて雌部材と断熱板とを貼着できるから、軽快に接着作業を行なえる利点がある。
この場合、雌部材に雄部材を嵌合させた状態で躯体側へ押しつけるようにしても良いのは勿論である。
また、躯体側へ先に雌部材を接着させる場合には、側縁に雌部材を分割した形状の切欠部を形成した断熱板を雌部材を挟み込むようにして合体させながらこれを躯体に接着させるようにする方法を採用することができる。
【００１６】
漏出させた接着剤で雌部材と断熱板とを接着させる場合（請求項５参照）には、雌部材の高さを断熱板の厚みと同等かそれより小さくすると共にその先端開口縁に切欠き部や小孔などの接着剤の漏出部を設けておくことになる。雌部材の高さを短くしておくことによっても漏出した接着剤を確実に断熱材の貫通穴に臨ませることができる。漏出した接着剤は硬化した段階で雌部材と断熱板とを固着させることになる。
なお、この場合には、雌部材の長さを雄部材に比べて短く構成することができるから、注入される接着剤の量を前記の公知の取付方法に比べて少なくできる利点もある。
【００１７】
雌雄部材の間へ接着剤を充填させるに際しては、雌部材の接着座面の外側を通過して接着剤を雌雄部材間に臨ませる方法を採用することができる。
その第一の方法は、雌部材の接着座面の中央部に透孔を穿設すると共に雌雄部材間の隙間と連通する連通孔を設けておき、雌雄部材の収縮状態において雄部材の接着座面側から突設させた案内筒の先端を雌部材の透孔の開口縁に当接させて接着剤を注入し、雌部材の接着座面の外側から連通孔を通過させて雌雄部材間に接着剤を充填する方法である。
この方法では、接着剤注入ノズルを雄部材の接着座面に形成した透孔に押し当てて注入できるから注入時の雄部材の浮き上がりを防止することができる。
第二の方法は、雄部材を筒体で構成し、雌部材の接着座面に透孔を穿設すると共に雌雄の部材間の隙間と連通する連通孔を設けておき、雌部材の接着座面の透孔に連通させて突設した案内筒の先端開口部から接着剤を注入し、雌部材の接着座面の外側から連通孔を通過させて雌雄部材間に接着剤を充填する方法である。
この方法では、注入される接着剤の注入圧によって雄部材が押し上げられないように押さえながら注入することが望ましい。
【００１８】
雌部材の接着座面の外側に雄部材の外形より大きい外形を有する皿状凹部を形成し、注入された接着剤がこの凹部から連通孔を通って雌雄部材間の隙間に臨ませるようにすると、雌部材の接着座面の外側に十分な空隙が確保されるから、接着剤の移動抵抗を少なくして円滑に通過させられる利点がある。
【００１９】
いずれの方法によっても、接着剤の注入によって雌部材の接着座面の外側に接着剤を臨ませられるから、同時にこの接着剤によって座面を躯体に永久固定することができることになる。
当初その接着座面の周縁を両面粘着テープなどを使用して仮固定させておくと仮固定と永久固定とを併用できるから、作業効率を一層高められる利点がある。
【００２０】
内筒の外側と外筒の内側の何れか又はその双方に凹溝を形成しておくと、隙間に接着剤を充填させた状態で内外筒を押し引きする際に接着剤が移動しても、接着剤の途切れを防止して、両者を確実に接着剤で固定することができる。この凹溝は、螺旋状に形成しても良いし、縦方向又は横方向に形成しても良く、これらを組み合わせることもできる。
【００２１】
雌部材の先端内壁面と雄部材の先端外壁面とに係止可能な突起を突設しておくと、雄部材を雌部材内で移動させる際に、その最長状態で突起同志が係止させられるから、両者の離開を防止し、作業中に雄部材が雌部材から外れるのを防止することができる。
【００２２】
嵌合する雌雄部材の断面形状を円形に構成した場合には、両者を嵌合させた状態で雄部材を若干傾斜させられるから、躯体の凹凸によって形成される傾斜面に部材を貼着させる場合であっても、固定する板材の平面の形成に支障がでることはない。また、この形態の取付調整具では、躯体と板材との層間に振動や揺れに起因する変位が生じても、弾性接着剤を使用する限りにおいては、雌雄部材に回転方向の力が作用しても層間変形に追随させることができる。
【実施例】
【００２３】
図１は、雌雄の部材を嵌合させた取付調整具２５に断熱材を取り付けた状態における中央断面図を示したものであり、取付調整具２５の基本的な構成は特許文献２に開示された実施例に準じている。
この実施例では、雌雄の部材をいずれもＡＢＳ樹脂からなる筒体で構成していて、雌部材１は、直径80mmの座面２の表面に内径49mm、高さ15mmの断面円形の外筒５を直立させた構成であり、雄部材１１は、直径80mmの座面１２の裏面に外径46mm、高さ35mmの断面円形の内筒１５を直立させた構成となっている。内外筒５、１５を嵌合させた状態では、内外筒壁の間に1.5mm
の隙間１０が形成され、内外筒を収縮させた状態では内筒１５は外筒５から約20mm突出するようにしている。
なお、これらの寸法は、取り付ける板体の大きさ、重さ、強度等を総合的に勘案して設計すればよい。
【００２４】
外筒５は、厚さ20mmの発泡スチレンボード２１に穿設した貫通穴２２に密嵌合させてあり、その上端は貫通穴２２の開口部の内側に位置するようにしている。
ボードの貫通穴２２の躯体側開口縁には座面２を収容するための凹部２３が周縁に沿って設けてあり、このボード２１と座面２の外側に貼着させた両面粘着テープ２９（後述）とがほぼ面一になるようにしている。
【００２５】
雌部材の座面２の中央には、後述する接着剤７を通過させるための透孔３が穿設してあり、また、裏面にはこの透孔３を中心として皿状の凹部４が形成してあって、その外周は、外筒５の基端部に達している。凹部４の外周部の内側には、座面２に連通部としての孔６、６を断続的に設け隙間１０と連通させている。
図１では凹部４の外側に両面接着テープ９を貼着させた状態を示しており、座面と躯体との間に凹部４の深さにこのテープ９の厚みを加えた深さの隙間を形成している。
【００２６】
雄部材１１の座面１２の中央には、透孔１３を穿設すると共にその裏面にこれに連通させて接着剤８を注入するための案内筒１４を突設させている。この案内筒１４の基端側には挿入される接着剤注入ノズル（図示せず）を受け入れるための段部１６が形成してあって、ノズルで雄部材１１を押圧しながら接着剤７を注入できるようにしている。
なお、案内筒１４の先端部には段部１７を形成して先端部が細く形成してあり、案内筒１４の先端部を透孔３の内側に進入させると共に段部１６を透孔３の開口縁に係合させることによって水密状態を保てるようにしている。
なお、この段部に代えてテーパー壁で構成するようにしても良い。
【００２７】
外筒５の上端部内側に突起８、８が、内筒１５の下端部外側に突起１８、１８がそれぞれ断続的に突出させてあって、嵌合状態にある内外筒５、１５を引き出す際には、突起同志８、１８が係合して簡単には離脱できないようになっている。
なお、この実施例では、内外筒１５、５を円滑に嵌合させられるように、突起８の上端部内側及び突起１８、１８の下端部外側部分をテーパー壁で構成している。この実施例では各突起８、１８は、周方向に４個ずつ形成しているが、突起の個数及びその間隔は部材の大きさ等に対応して適宜設計することになる。この突起８、１８は、部材の材質によっては連続させてリング状に形成することができる。
【００２８】
次に、上記の取付調整具２５を用いて躯体壁面２０に内装板を取り付ける場合について説明する。
両面テープ９の図示しない剥離紙を除去して粘着面を現し、取付調整具２５及びスチレンボード２１を壁面２０側へ押しつける。このときボード２１は外筒５に支持されて躯体２０に当接する状態となっている。
次いで、外筒の透孔１３から接着剤注入ノズルを案内筒１４内に臨ませて接着剤７を注入すると、接着剤は、案内筒１４透孔３を通って座面の裏側の皿状の凹部４に到達する。そのまま接着剤７は放射方向に進んで連通孔６、６を通過して隙間１０に進入し、外筒５の先端を脱して内筒１５と断熱材の貫通穴２２の側壁との間に臨み、図２に示した状態となる。ここで接着剤の注入を停止する。
【００２９】
図２の状態から内筒１５を引き出すのであるが、座面１２に貼着させた両面粘着テープ１９の図示しない剥離紙の除去及び座面１２外側への接着剤の塗布は、引出しの前後いずれにおいて行っても良い。
内筒１５を引き出すと、内外筒先端部の突起８、１８同志が係合して内筒１５が抜け出るのを防止する。
その状態で図示しない内装板を内筒１５の座面に向って前進させると、内筒１５の粘着テープ１９によって内筒の座面１２と内装板とが仮固定され、そのまま取付位置に到達するまで前進させて養生すると、接着剤が硬化して内筒１５と内装板とが永久固定されることになる。
なお、ボード２１にも接着剤を塗布して躯体２０と接着させるようにしてもよい。
【図面の簡単な説明】
【００３０】
【図１】断熱材を取り付けて雌雄の部材を嵌合させた取付調整具の中央断面図
【図２】取付調整具を壁面に貼着させた状態の断面図
【符号の説明】
【００３１】
１雌部材、  ２雌部材の座面、  3、13透孔、  ４皿状凹部、  ５外筒、  ６連通孔、  ７接着剤、  8、18突起、  9、19両面粘着テープ、  10内外筒間の隙間、  11オズ部材、  12雄部材の座面、  14案内筒、  15内筒、  16案内筒の段部、  20壁面の躯体、  21発泡スチレンボード、  22貫通穴、  23貫通穴開口縁の凹部、  25取付調整具
【図１】
2005350909.tif 000003
【図２】
2005350909.tif 000004